(57)【要約】【課題】データの消去時間を短縮して処理効率の向上を図る。【解決手段】データ処理の値にＨＤＤ上の記憶領域の消去を行う際に、分割手段により、消去指定領域を複数の分割領域に分割する。そして、消去情報格納手段は、各分割領域に対する消去処理の後に、実施した消去処理の内容を示す消去情報を各分割領域の先頭部分にそれぞれ格納する。消去コードは、過去の消去処理の実施の有無、消去方法は、実施された上書き回数の情報を示す。消去処理手段は、ＨＤＤの記憶領域の消去を指示された場合、指定された消去指定領域内の各分割領域から消去情報を読み出し、指示された消去処理と読み出された消去情報により示される実施済みの消去処理との差分の消去処理を、各分割領域ごとに実施する。【選択図】図３
2007280443.tif 000002
【特許請求の範囲】
【請求項１】
記憶装置内に格納されたデータを消去するデータ処理装置であって、
消去処理を行うよう指定された領域である消去指定領域に対する消去処理の後に、実施した消去処理の内容を示す消去情報を前記消去指定領域に対応させて格納する消去情報格納手段を有するデータ処理装置。
【請求項２】
前記記憶装置の記憶領域の消去を指示された場合、指示された消去処理と前記消去情報により示される実施済みの消去処理との差分の消去処理を、前記消去指定領域に対して実施する消去手段をさらに有する請求項１記載のデータ処理装置。
【請求項３】
憶装置内に格納されたデータを消去するデータ処理装置であって、
データの消去処理を指示されると、消去処理を行うよう指定された領域である消去指定領域を複数の分割領域に分割する分割手段と、
前記各分割領域に対する消去処理の後に、実施した消去処理の内容を示す消去情報を前記各分割領域に対応させて格納する消去情報格納手段と、を有するデータ処理装置。
【請求項４】
前記記憶装置の記憶領域の消去を指示された場合、指示された消去処理と前記消去情報により示される実施済みの消去処理との差分の消去処理を、前記各分割領域ごとに実施する消去手段をさらに有する請求項３記載のデータ処理装置。
【請求項５】
前記消去情報格納手段は、前記消去情報を前記各分割領域内にそれぞれ格納する請求項３または４記載のデータ処理装置。
【請求項６】
前記分割手段は、消去指定領域を複数の分割領域に分割する際に、格納するデータ量に応じて前記各分割領域の広さ決定し、前記消去情報には前記各分割領域の広さを示す領域情報を含める請求項３から５のいずれか１項記載のデータ処理装置。
【請求項７】
前記消去情報は、消去処理の実施の有無を示す情報である請求項１から６のいずれか１項記載のデータ処理装置。
【請求項８】
前記消去情報は、消去処理の実施の有無を示す情報および実施した上書き消去処理の回数である実施済み上書き回数の情報である請求項１から６のいずれか１項記載のデータ処理装置。
【請求項９】
前記消去情報は、消去処理の実施の有無を示す情報、実施した上書き消去処理の回数である実施済み上書き回数の情報および各上書き消去処理において用いられたダミーデータの内容の情報である請求項１から６のいずれか１項記載のデータ処理装置。
【請求項１０】
記憶装置内に格納されたデータを消去するデータ処理方法であって、
消去処理を行うよう指定された領域である消去指定領域に対する消去処理の後に、実施した消去処理の内容を示す消去情報を前記消去指定領域に対応させて格納するデータ処理方法。
【請求項１１】
前記記憶装置の記憶領域の消去を指示された場合、指示された消去処理と前記消去情報により示される実施済みの消去処理との差分の消去処理を、前記消去指定領域に対して実施する請求項１０記載のデータ処理方法。
【請求項１２】
記憶装置内に格納されたデータを消去するデータ処理方法であって、
データの消去処理を指示されると、消去処理を行うよう指定された領域である消去指定領域を複数の分割領域に分割し、
前記各分割領域に対する消去処理の後に、実施した消去処理の内容を示す消去情報を前記各分割領域に対応させて格納するデータ処理方法。
【請求項１３】
前記記憶装置の記憶領域の消去を指示された場合、指示された消去処理と前記消去情報により示される実施済みの消去処理との差分の消去処理を、前記各分割領域ごとに実施する請求項１２記載のデータ処理方法。
【請求項１４】
前記消去情報を前記各分割領域内にそれぞれ格納する請求項１２または１３記載のデータ処理方法。
【請求項１５】
消去指定領域を複数の分割領域に分割する際に、格納するデータ量に応じて前記各分割領域の広さ決定し、前記消去情報には前記各分割領域の広さを示す領域情報を含める請求項１２から１４のいずれか１項記載のデータ処理方法。
【請求項１６】
前記消去情報は、消去処理の実施の有無を示す情報である請求項１０から１５のいずれか１項記載のデータ処理方法。
【請求項１７】
前記消去情報は、消去処理の実施の有無を示す情報および実施した上書き消去処理の回数である実施済み上書き回数の情報である請求項１０から１５のいずれか１項記載のデータ処理方法。
【請求項１８】
前記消去情報は、消去処理の実施の有無を示す情報、実施した上書き消去処理の回数である実施済み上書き回数の情報および各上書き消去処理において用いられたダミーデータの内容の情報である請求項１０から１５のいずれか１項記載のデータ処理方法。
【請求項１９】
記憶装置内に格納されたデータを消去するデータ処理方法をコンピュータに実行させるためのプログラムであって、
消去処理を行うよう指定された領域である消去指定領域に対する消去処理の後に、実施した消去処理の内容を示す消去情報を前記消去指定領域に対応させて格納するステップをコンピュータに実行させるためのプログラム。
【請求項２０】
前記記憶装置の記憶領域の消去を指示された場合、指示された消去処理と前記消去情報により示される実施済みの消去処理との差分の消去処理を、前記消去指定領域に対して実施する請求項１９記載のプログラム。
【請求項２１】
記憶装置内に格納されたデータを消去するデータ処理方法をコンピュータに実行させるためのプログラムであって、
データの消去処理を指示されると、消去処理を行うよう指定された領域である消去指定領域を複数の分割領域に分割するステップと、
前記各分割領域に対する消去処理の後に、実施した消去処理の内容を示す消去情報を前記各分割領域に対応させて格納するステップとをコンピュータに実行させるためのプログラム。
【請求項２２】
前記記憶装置の記憶領域の消去を指示された場合、指示された消去処理と前記消去情報により示される実施済みの消去処理との差分の消去処理を、前記各分割領域ごとに実施する請求項２１記載のプログラム。
【請求項２３】
前記消去情報を前記各分割領域内にそれぞれ格納するステップをコンピュータに実行させる請求項２１または２２記載のプログラム。
【請求項２４】
消去指定領域を複数の分割領域に分割する際に、格納するデータ量に応じて前記各分割領域の広さ決定し、前記消去情報には前記各分割領域の広さを示す領域情報を含めるステップをコンピュータに実行させる請求項２１から２３のいずれか１項記載のプログラム。
【請求項２５】
前記消去情報は、消去処理の実施の有無を示す情報である請求項１９から２４のいずれか１項記載のプログラム。
【請求項２６】
前記消去情報は、消去処理の実施の有無を示す情報および実施した上書き消去処理の回数である実施済み上書き回数の情報である請求項１９から２４のいずれか１項記載のプログラム。
【請求項２７】
前記消去情報は、消去処理の実施の有無を示す情報、実施した上書き消去処理の回数である実施済み上書き回数の情報および各上書き消去処理において用いられたダミーデータの内容の情報である請求項１９から２４のいずれか１項記載のプログラム。
【発明の詳細な説明】
【技術分野】
【０００１】
本発明は、処理を行うデータを記憶装置に格納し、データ処理後に記憶装置内に格納された処理済みデータの消去処理を行うデータ処理装置およびデータ処理方法に関する。
【背景技術】
【０００２】
近年、複写機やプリンタなどの画像処理装置において、画像データを保持するための記憶装置としてハードディスクが用いられている。しかし、これらの画像処理装置がハードディスクごと廃棄された場合、廃棄されたハードディスク内に保持された情報が漏洩することが問題となっている。このため、ハードディスク内の不要となった情報を消去する必要性が高まっており、ハードディスク内の情報消去方法として、様々な方法が提案されている。
【０００３】
このような消去方法の１つとして、特許文献１には、プリントジョブの合間等の設定されたタイミングにおいて、メモリに上書きするためのダミーデータ（上書きデータ）を用意し、ダミーデータをハードディスクの消去したい領域に上書きする手法が開示されている。
【０００４】
しかし、ハードディスク等の磁気を用いてデータを記憶する記憶装置では、データを１回上書きしただけでは下のデータが完全に消去されない可能性がある。その理由は、ＨＤＤ（Hard Disk Drive）を分解して特殊な読取機器でディスク上の残留磁気を読み取れば、内容を復元できる場合があるからである。
【０００５】
そのため、ＨＤＤ上のデータの消去方式としては、米国安全保証局(ＮＳＡ)推奨方式(１回目２回目は乱数で上書き、３回目は固定値で上書きする方法)が一般的に知られている。他の方式として上書き回数を増やして消去効果をより高める方式が一般的に知られている。
【０００６】
しかし、消去を行うデータのデータ量や消去方法によっては、消去時間が膨大になる可能性があり、ある処理が終わった後に次の処理を行うことができるようになるまで時間がかかったりしてしまう。また、消去処理を行うことにより少なからず他のジョブに影響を与えるため装置全体のパフォーマンスが低下してしまうことにもなる。
【特許文献１】特開２００５−１８５６７号公報
【発明の開示】
【発明が解決しようとする課題】
【０００７】
上述した従来のデータ処理装置では、処理済みデータの消去処理を行う際に、処理済みデータのデータ量や消去方法によっては消去時間が長くなってしまい処理効率が悪化してしまう可能性があるという問題点があった。
【０００８】
本発明の目的は、データの消去時間を短縮して処理効率の向上を図ることができるデータ処理装置およびデータ処理方法とプログラムを提供することである。
【課題を解決するための手段】
【０００９】
［データ処理装置］
上記目的を達成するために、本発明のデータ処理装置は、記憶装置内に格納されたデータを消去するデータ処理装置であって、
消去処理を行うよう指定された領域である消去指定領域に対する消去処理の後に、実施した消去処理の内容を示す消去情報を前記消去指定領域に対応させて格納する消去情報格納手段を有する。
【００１０】
好ましくは、前記記憶装置の記憶領域の消去を指示された場合、指示された消去処理と前記消去情報により示される実施済みの消去処理との差分の消去処理を、前記消去指定領域に対して実施する消去手段をさらに有する。
【００１１】
また、本発明のデータ処理装置は、記憶装置内に格納されたデータを消去するデータ処理装置であって、
データの消去処理を指示されると、消去処理を行うよう指定された領域である消去指定領域を複数の分割領域に分割する分割手段と、
前記各分割領域に対する消去処理の後に、実施した消去処理の内容を示す消去情報を前記各分割領域に対応させて格納する消去情報格納手段とを有する。
【００１２】
好ましくは、前記記憶装置の記憶領域の消去を指示された場合、指示された消去処理と前記消去情報により示される実施済みの消去処理との差分の消去処理を、前記各分割領域ごとに実施する消去手段をさらに有する。
【００１３】
本発明によれば、消去指定領域を複数の分割領域に分割し、各分割領域に実施した消去処理の内容を各分割領域と対応付けられた消去情報として格納しておき、この分割領域に対する消去処理が指示された場合、指示された消去処理と実施済みの消去処理との差分の消去処理のみを行うことができる。そのため、重複した消去処理を省くことにより消去処理時間を削減することができる。
【００１４】
好ましくは、前記消去情報格納手段は、前記消去情報を前記各分割領域内にそれぞれ格納する。
【００１５】
好ましくは、前記分割手段は、消去指定領域を複数の分割領域に分割する際に、格納するデータ量に応じて前記各分割領域の広さ決定し、前記消去情報には前記各分割領域の広さを示す領域情報を含める。
【００１６】
好ましくは、前記消去情報は、消去処理の実施の有無を示す情報である。
【００１７】
好ましくは、前記消去情報は、消去処理の実施の有無を示す情報および実施した上書き消去処理の回数である実施済み上書き回数の情報である。
【００１８】
好ましくは、前記消去情報は、消去処理の実施の有無を示す情報、実施した上書き消去処理の回数である実施済み上書き回数の情報および各上書き消去処理において用いられたダミーデータの内容の情報である請求項１から３のいずれか１項記載のデータ処理装置。
【００１９】
［データ処理方法］
また、本発明のデータ処理方法は、記憶装置内に格納されたデータを消去するデータ処理方法であって、
データの消去処理を指示されると、消去処理を行うよう指定された領域である消去指定領域を複数の分割領域に分割し、
前記各分割領域に対する消去処理の後に、実施した消去処理の内容を示す消去情報を前記各分割領域に対応させて格納する。
【００２０】
［プログラム］
また、本発明のプログラムは、記憶装置内に格納されたデータを消去するデータ処理方法をコンピュータに実行させるためのプログラムであって、
データの消去処理を指示されると、消去処理を行うよう指定された領域である消去指定領域を複数の分割領域に分割するステップと、
前記各分割領域に対する消去処理の後に、実施した消去処理の内容を示す消去情報を前記各分割領域に対応させて格納するステップとをコンピュータに実行させる。
【発明の効果】
【００２１】
以上説明したように、本発明によれば、消去指定領域を分割した分割領域毎に、過去に実施された消去処理の内容を消去情報として格納しているので、重複した消去処理を省くことにより消去処理時間を削減できるという効果を得ることができる。
【発明を実施するための最良の形態】
【００２２】
まず、本発明の理解を助けるために、その背景及び概略を説明する。
上記でも説明したように、ハードディスク内に格納されたデータを完全に消去しようとした場合、複数の上書き消去を行う必要がある。そのため、消去処理を行おうとする領域が広い場合や、必要な上書き回数が多い場合には、消去処理時間が膨大になる。例えば、ハードディスクを廃棄しようとして、ハードディスク内の全てのデータを完全に消去しようとする場合等には膨大な消去処理時間が必要となる。また、ハードディクスを廃棄する場合以外でも、ハードディスクの全領域や一部の領域を指定して、指定された領域内のデータの消去を行うような場合にも、消去処理時間が膨大になる。
【００２３】
しかし、ハードディスク内には、過去に消去処理を行っている領域も存在するため、そのような領域も含めて全ての領域に対して指示された消去処理を実行したのでは、重複された消去処理を行っていることになる。
【００２４】
そこで、本発明では、過去に実施した消去処理の内容を消去情報として格納しておき、指示された消去処理と過去に実施した消去処理との差分のみを実施することにより消去処理時間の短縮を図るようにする。
【００２５】
次に、本発明の実施の形態について図面を参照して詳細に説明する。
[第１の実施形態]
図１は、本発明の第１の実施形態のデータ処理装置７０を有する画像処理装置のハードウェア構成を、データ処理装置７０を中心に例示する図である。
【００２６】
本実施形態における画像処理装置は、図１に示されるように、ＣＰＵ１０と、ＲＡＭ２０と、ＲＯＭ３０と、通信インタフェース部４０と、ユーザインタフェース部５０と、ＦＡＸインタフェース部６０と、データ処理装置７０と、スキャナ８０と、ＨＤＤ（Hard Disk Drive）９０と、プリントエンジン１００とから構成されている。
【００２７】
通信インタフェース部４０は、他の装置との間の通信処理を行う。ユーザインタフェース部５０は、ユーザからの設定入力や、ユーザに対する表示処理等のユーザインタフェースの処理を行う。ＦＡＸインタフェース部６０は、電話回線を介して他のＦＡＸ装置との間のＦＡＸ通信の処理を行う。
【００２８】
プリントエンジン１００は、データ処理装置７０において処理された画像データ等を印刷する処理を行う。ＣＰＵ１０は、ＲＡＭ２０、ＲＯＭ３０、通信インタフェース部４０、ユーザインタフェース部５０、ＦＡＸインタフェース部６０、データ処理装置７０、スキャナ８０、プリントエンジン１００の動作を制御している。
【００２９】
データ処理装置７０は、例えば、データ処理プログラムがインストールされた汎用コンピュータであり、ＣＰＵ１０からの指示に基づいて、スキャナ８０を介して取り込んだ画像データ等に対して所定のデータ処理を行う。そして、データ処理装置７０は、データ処理を行う際に、処理を行おうとする画像データを一旦記憶装置であるＨＤＤ９０に格納してからＣＰＵ１０により指定されたデータ処理を行う。
【００３０】
データ処理プログラムは、図示しない磁気ディスク、半導体メモリ等の記録媒体からデータ処理装置７０に読み込まれてインストールされることによりデータ処理装置７０の動作を制御する。
なお、データ処理プログラムにより実現される機能の全部又は一部をＡＳＩＣ（Application Specific IC）などのハードウェアで実現してもよい。
【００３１】
図２は、上記のデータ処理プログラムが実行されることにより実現される図１中のデータ処理装置７０の機能構成を例示する図である。
【００３２】
データ処理装置７０は、図２に示されるように、データ格納手段７１と、分割手段７２と、消去情報格納手段７３と、消去手段７４とを備えている。データ処理装置７０は、スキャナ８０を介して取り込んだ画像データ等を、データ格納手段７１により記憶装置であるＨＤＤ９０内に格納する。そして、データ処理が行われた後に、ＣＰＵ１０により処理済みデータの消去処理が指示された場合、分割手段７２により、消去処理を行うよう指定された領域である消去指定領域を複数の分割領域に分割する。そして、消去情報格納手段７３は、各分割領域に対する消去処理の後に、実施した消去処理の内容を示す消去情報を各分割領域に対応させて格納する。本実施形態では、消去情報格納手段７３は、消去情報を各分割領域内のデータの先頭部分にそれぞれ格納する。
【００３３】
そして、消去処理手段７４は、ＨＤＤ９０の記憶領域の消去を指示された場合、指定された消去指定領域内の各分割領域から消去情報を読み出し、指示された消去処理と読み出された消去情報により示される実施済みの消去処理との差分の消去処理を、各分割領域ごとに実施する。
【００３４】
分割手段７２により分割された分割領域の詳細を図３に示す。
図３では、分割手段７２により分割された各分割領域は、データ格納領域と消去情報が格納された領域とから構成されている。そして、本実施形態では、消去情報として、消去コードと消去方法とが各分割領域ごとに格納されている。
【００３５】
ここで、消去コードとして、消去処理の実施の有無を示す情報が格納されている。また、消去方法として、過去に実施した上書き消去回数を示す実施済み上書き回数の情報が格納されている。
【００３６】
次に、本実施形態のデータ処理装置７０におけるデータ処理方法を図４のフローチャートを参照して説明する。ここでは、上書き回数は３回で指定されるものとして説明する。また、消去情報の初期値として、消去コードには消去処理の実施無し、消去方法には上書き回数が０回である情報が格納されているものとする。
【００３７】
ＨＤＤ９０上のデータが不要になると、ＣＰＵ１０は、データ処理装置７０に対して、ＨＤＤ９０の指定領域の消去処理を指示する。すると、データ処理装置７０は、ＣＰＵ１０からの消去処理の指示を受けて、消去処理を開始する。
【００３８】
（１）データ処理装置７０では、分割手段７２により消去指定領域を複数の分割領域に分割し、この複数の分割領域の中から１つの分割領域を選択する（Ｓ１０１）。
（２）そして、データ処理装置７０の消去手段７４は、選択された分割領域の先頭に記録されている消去情報を読み出す（Ｓ１０２）。
【００３９】
（３）次に、消去手段７４は、消去情報の消去コードを識別し、選択された分割領域が過去に消去処理が実施された領域であるかどうかを判定する。そして、指定された分割領域が過去に消去処理が実施された領域である場合には、消去方法として格納された実施済み上書き回数の情報を識別し、指定された上書き回数(３回)と実施済み上書き回数との不足分の回数だけ上書き消去を実施する（Ｓ１０３）。
【００４０】
例えば、実施済み上書き回数が２回であり、指定された上書き回数が３回の場合には、消去手段７４は、差分の回数である１回の上書き消去を実施する。そして、選択された分割領域が過去に消去が行われていない領域の場合には、消去手段７４は、指定された３回の上書き消去を行う。
【００４１】
（４）そして、選択された分割領域の消去処理が終了すると（Ｓ１０５）、消去情報格納手段７３は、消去処理を行った分割領域の先頭に格納されている消去情報を更新する（Ｓ１０６）。
【００４２】
（５）最後に、消去指定領域内の全ての分割領域の消去処理が終了すると（Ｓ１０７）、データ処理装置７０はＣＰＵ１０に対して消去処理が終了した旨を通知して処理を終了する（Ｓ１０８）。
【００４３】
本実施形態のデータ処理装置によれば、上記の処理が行われることにより、ＨＤＤ９０の消去指定領域を複数の分割領域に分割し、各分割領域に実施した消去処理の内容を消去情報として格納しておき、後からこの分割領域に対する消去処理が指示された場合、指示された消去処理と実施済みの消去処理との差分の消去処理のみを行うことができる。そのため、重複した消去処理を省くことにより消去処理時間を削減することができる。
【００４４】
例えば、ハードディクスを廃棄するためにハードディスクの全データを３回上書き消去するよう指定された場合には、過去３回上書き消去を行っていた分割領域に対しては全く消去を行わずにすみ、また過去２回上書き消去を行っていた分割領域に対しては１回のみの消去を行うだけですむ。そのため、全ての領域を一律に３回上書き消去を行う場合と比較して、大幅に消去処理時間の削減を図ることができる。
【００４５】
[第２の実施形態]
次に、本発明の第２の実施形態のデータ処理装置について説明する。
上記で説明した第１の実施形態のデータ処理装置では、実施済み上書き回数と、指定された上書き回数との差分の回数の消去処理を行なうようにしていたが、本発明の第２の実施形態では、回数のみを考慮するのではなく上書きデータの内容も考慮して差分の消去処理を行うようにする。
【００４６】
上記で説明した第１の実施形態のデータ処理装置では、各分割領域の消去情報には、消去情報として実施済み上書き回数が格納されていたが、本実施形態のデータ処理装置では、消去情報として、実施済み上書き回数と、各上書き処理において使用されたダミーデータの内容が格納される。
【００４７】
例えば、消去情報として、「実施済み上書き回数は２回」、「１回目は固定値、２回目は固定値」という内容の情報が格納される。ここで、消去処理時にデータ処理装置がＣＰＵから指示された消去方法が、「１回目は固定値、２回目は乱数」であったとすると、データ処理装置の消去手段は、差分の消去処理として、１回の乱数データの上書き処理を行う。
【００４８】
本実施形態のデータ処理装置によれば、上書き回数だけでなく、使用したダミーデータの内容をも考慮して、過去に実施された消去処理と指定された消去処理との差分の消去処理を行うようにしているので、より高い安全性を確保しながら消去処理時間の短縮を図ることが可能となる。
【００４９】
[変形例]
上記実施形態では、各分割領域の広さは固定されたものとして説明しているが、本発明はこのような場合に限定されるものではなく、各分割領域の広さを可変とすることも可能である。例えば、各分割領域をジョブ毎、画像データ等のファイル毎に分割するようにし、各分割領域の消去情報には、その分割領域の広さを示す領域情報を含めるようにするようにすればよい。具体的には、消去コードに、消去処理の実施の有無の情報だけでなく、その分割領域の最終アドレスの情報を含めるようにする。このようにすることにより、分割領域の分割方法の柔軟性を高くすることができる。
【００５０】
また、上記実施形態では、ＨＤＤに格納されたデータに対して消去処理を行う場合を用いて説明を行ったが、本発明はこのような場合に限定されるものではなく、フラッシュメモリ等の他の不揮発性メモリや、または揮発性メモリに格納されたデータの消去確認にも適用可能である。
【００５１】
また、上記実施形態では、消去情報は、データとともにＨＤＤ９０に格納するようにしたが、データとは別の他の記憶装置に格納するようにしても良い。さらに、消去情報の格納場所も各データの先頭である必要ではなく、複数の消去情報をまとめて１つのデータとして格納するようにしても良い。
【００５２】
また、上記実施形態では、データ管理情報はＨＤＤ９０にデータが書き込まれた時にＨＤＤ９０に格納するようにしているが、データが書き込まれるタイミングとは異なるタイミングでＨＤＤ９０に格納するようにしてもよい。
【００５３】
また、上記実施形態では、消去しようとするデータを完全に消去するための上書き回数を３回であるとして説明しているが、本発明はこのような場合に限定されるものではなく、処理済みデータを消去するために必要な上書き回数は何回に設定してもよい。また、上書き回数は予め設定されていなくてもよく、任意のタイミングにより変更することができるようにしてもよい。
【００５４】
さらに、ダミーデータは固定値データでも良いし、乱数データでも良く、また複数回の上書き処理を行う場合には、これらの種類をどのように組み合わせるようにしても良い。
【図面の簡単な説明】
【００５５】
【図１】本発明の第１の実施形態のデータ処理装置を有する画像処理装置のハードウェア構成を示すブロック図である。
【図２】図１中のデータ処理装置７０の機能構成を例示するブロック図である。
【図３】分割手段７２により分割された分割領域の詳細を説明するための図である。
【図４】本発明の第１の実施形態のデータ処理装置の動作を示すフローチャートである。
【符号の説明】
【００５６】
１０    ＣＰＵ
２０    ＲＡＭ
３０    ＲＯＭ
４０    通信インタフェース部
５０    ユーザインタフェース部
６０    ＦＡＸインタフェース部
７０    データ処理装置
７１    データ格納手段
７２    分割手段
７３    消去情報格納手段
７４    消去手段
８０    スキャナ
９０    ＨＤＤ
１００    プリントエンジン
Ｓ１０１〜１０８    ステップ
【図１】
2007280443.tif 000003
【図２】
2007280443.tif 000004
【図３】
2007280443.tif 000005
【図４】
2007280443.tif 000006